(57)【要約】【課題】    簡単な構造で、扉を所定の開放状態に確実に固定するステーを提供する。【解決手段】  本願考案に係るステーは、扉に取り付けられる第１基材１と、建物の開口部に取り付けられる第２基材２と、両基材１，２を連結し扉の回動に伴って屈伸可能な連結部材３と、ロック機構４とを備える。連結部材３は、重合部と被重合部とを備え、重合部は、扉を所定の開放状態にしたとき、被重合部と重なる。ロック機構４は、重合部に設けられた第１挿通部と、被重合部に設けられた第２挿通部と、挿入子と備え、この挿入子は、第１挿通部と第２挿通部の双方に挿入されることにより、重合部と被重合部とを重なり合った状態に固定し、上記開放状態を維持する。【選択図】          図１
0003117514.tif 000002
【実用新案登録請求の範囲】
【請求項１】
建造物や収納容器の開口部へ回動自在に取り付けられた扉について、当該扉を所定の開放状態に固定するステーにおいて、
上記の開口部と扉の何れか一方に取り付けられる第１基材と、上記の開口部と扉の何れか他方に取り付けられる第２基材と、当該第１基材と第２基材とを連結し且つ扉の回動に伴って屈伸可能な連結部材と、扉の上記所定の開放状態のときの連結部材の屈伸状態を維持せしめるロック機構とを備え、
連結部材は、重合部と被重合部とを備え、この重合部は、少なくとも、扉を上記所定の開放状態にしたとき、上記連結部の屈伸にて、この被重合部と重なるものであり、
上記のロック機構は、当該重合部に設けられた第１挿通部と、被重合部に設けられた第２挿通部と、挿入子と備え、
上記の挿入子は、重合部と被重合部とが上記の通り重なりあった際、第１受容部と第２挿通部の双方に挿入されることにより、重合部と被重合部とを重なり合った状態に固定し、上記開放状態を維持するものであることを特徴とするステー。
【請求項２】
上記の連結部材は、第１基材に連結された第１リンク部材と、第２基材に連結されると共に当該第１リンク部材に軸止された第２リンク部材と、係止機構とを備え、
上記の第１基材と第１リンク部材との連結部と、上記の第２基材と第１リンク部材との連結部の、少なくとも何れか一方は、基材とリンク部材とを回動可能に連結するものであり、
上記連結部材の屈伸は、上記第１リンク部材に対する第２リンク部材の相対的な回動にて、第１リンク部材に対して第２リンク部材を開閉することにより行われるものであり、
更に、上記第１リンク部材が、上記の重合部を備え、上記の第２リンク部材が上記の被重合部を備え、
上記係止機構は、上記の重合部と被重合部の何れか一方に設けられた雌部と、上記重合部と被重合部の何れか他方に設けられ且つ当該雌部に嵌合可能な雄部とを備え、
上記第１リンク部材に対する第２リンク部材の上記回動にて重合部と被重合部とを重ね合わせることにより、上記雌部に雄部を強制的に嵌合し、扉を上記所定の開放状態にて係止することが可能であり、
上記の第２挿通部は、当該係止状態のとき、上記の第１挿通部と対応する位置に配位し、両挿通部に上記挿入子を挿入可能とするものであり、係止機構による係止状態を固定するものであることを特徴とする請求項１記載のステー。
【請求項３】
上記の重合部と被重合部とは、上下に重なるものであり、上記第１及び第２の挿通部は、夫々この重合部又は被重合部を上下方向に貫通する貫通孔であり、
上記挿入子は、重合部及び被重合部とは別体に形成されたものであり、上記両挿通部に挿入することが可能な軸部と、当該軸部の上端に設けられた引掛部とを備え、当該引掛部は、上記軸部の軸方向と交差する方向に突出する、両挿通部に挿入不能な突出部分であり、
両挿通部が対応する位置にあるとき、重合部及び被重合部の上方より、上記軸部を両挿通部内に挿入した際、引掛部が、重合部又は被重合部の表面に引掛り、挿入子を両挿通部内から下方に通り抜けて落下するのを防止するものであることを特徴とする請求項２記載のステー。
【請求項４】
上記の挿入子は、金属にて形成され、チェーン等の紐状体を介して、当該ステーに取り付けられたものであることを特徴とする請求項３記載のステー。
【請求項５】
第１リンク部材の上記重合部は、上下方向について間隔を開けて並べられた上板状部材と下板状部材の少なくとも２枚の板状部材にて構成され、
上記の第２リンク部材は、上板状部材と下板状部材とに軸止されると共に、上下方向について上記の上板状部材と下板状部材との間に位置し、第２リンク部材は、上記軸止部分を挟んで第２基材と反対側に、上記被重合部を備えるものであり、
上記の雌部は、上記上下の板状部材の向かい合う面の対応する位置夫々に設けられた凹み部分であり、上記の雄部は、被重合部の上下に突出する半球状の突起であり、
上記の扉を開けることにより、上記の第１リンク部材に対して、第２リンク部材を上記所定の開放状態に向けて相対的に回動し、上記両突起にて強制的に第１リンク部材を構成する上板状部材と下板状部材との間を押し広げて、この上下両板状部材の間に当該突起を割り込ませることが可能であり、両突起が上記凹み部分の夫々に入ることで、押し広げられた上下の両板状部材の間が元の状態に向けて狭まることにより、上記の係止状態となるものであることを特徴とする請求項４記載のステー。
【考案の詳細な説明】
【技術分野】
【０００１】
本願考案は、ステーの改良に関する。
【背景技術】
【０００２】
【特許文献１】特開平１１−３２４４６２号（特許文献１）
【０００３】
建造物やコンテナ、或いは配電ボックスへ回動自在に設けられた扉に対して、取り付けられたステーについて、当該扉を所定の開放状態に確実に固定するために、種々の提案がなされている。
しかし、簡便にそのような固定を行う方法は十分に検討されているとはいえない。
【０００４】
例えば、上記の特許文献１に見られるストッパー機構付ステ−装置が提案されている。
このストッパー機構付ステ−装置は、固定枠体にガイド筒取付金具によって回転可能に取り付けられたガイド筒、扉にスライダ−取付け金具によって一端を回転可能に取付けられ、他端をガイド筒３内に挿入したスライダ−と、ガイド筒の側面上端側に固着されたシリンダーと、ストッパ−支持棒に固設されてシリンダ−内部に挿入され、圧縮バネによってガイド筒内に突出する方向に付勢され、先端部がスライダーのロック孔に係脱するストッパーと、ストッパー支持棒のシリンダーから突出した部分に枢軸によって基端部を連結されたカム板と、カム板の先端部に上端部をワイヤ−取付軸によって取り付けられ、下端部に指掛けリングを取り付けた操作用ワイヤ−とからなり、枢軸を中心にカム板が回転してカム板の基端部の一面がシリンダーの頭部に当接するとき、ストッパーがロック孔から脱出する一方、カム板の基端部の他面が頭部に当接するとき、ストッパーがロック孔に係合するものである。
【０００５】
この特許文献１に示されたストッパー機構付ステ−装置では、ストッパ−がスライダ−のロック孔に係合することによって、スライダーはガイド筒に対して移動を制止され、扉は所定の開放角度に固定保持される。ストッパーとロック孔の係合状態は圧縮バネの付勢によって維持されている。このとき、ストッパ−支持棒に連結されているカム板は圧縮バネの作用によってシリンダーの頭部に引き付けられており、基端部の他面にて頭部に当接している。
【０００６】
この扉開放状態から操作用ワイヤーの指掛けリングを下方に引くと、カム板が枢軸を中心に時計周り方向に回転し、カム板の基端部の一面がシリンダーの頭部に当接する。枢軸と一面間の距離は、枢軸と他面間の距離よりも十分長く寸法設定されているため、圧縮バネの付勢に抗してストッパーがシリンダ−内部へと引き込まれる。そのためストッパーの先端部がスライダーのロック孔から抜け出し、スライダーのロックが解除される。そこで扉を蝶番軸を中心に閉鎖回転させると、スライダーがガイド筒内に収納されて行く。その後、指掛けリングから手を離すと、圧縮バネによってストッパーがスライダーの側面に押し付けられた状態で固定される。
このように、このステーは、操作用ワイヤーの指掛けリングの操作にて、背伸びせずに、扉の開放状態において、ステーの開いた状態を固定することを目的とするものである。
【０００７】
しかし、この特許文献１に具体的に示されたステーのストッパー機構（ロック機構）は、シリンダーと、当該シリンダーに収容され且つロック孔に対応するストッパーと、当該シリンダーに収容された圧縮バネと、ストッパーに設けられたストッパー支持棒と、カム板といった、多くの部材にて構成された複雑なものである。従って、製造に手間がかかり、また、部品点数や製造・組み立て工程の多さから、製造のコストを押し上げる要因となっている。
また、操作ワイヤに取り付けられた指掛けリングに、作業者が不意に当ったり、引っ掛かったりすれば、意図せずして、上記ストッパーのロックを解除してしまうことになり、危険である。
【考案の開示】
【考案が解決しようとする課題】
【０００８】
本願考案は、上記の問題点を鑑みて、簡単な構造によって、確実にステーをロックできるロック機構を備えたステーを提供して上記の課題の解決を図る。
【課題を解決するための手段】
【０００９】
本願第１の考案は、建造物や収納容器の開口部へ回動自在に取り付けられた扉について、当該扉を所定の開放状態に固定するステーにおいて、下記の構成を採るものを提供する。
即ち、このステーは、上記の開口部と扉の何れか一方に取り付けられる第１基材１と、上記の開口部と扉の何れか他方に取り付けられる第２基材２と、当該第１基材１と第２基材２とを連結し且つ扉の回動に伴って屈伸可能な連結部材３と、扉の上記所定の開放状態のときの連結部材の屈伸状態を維持せしめるロック機構４とを備えるものである。連結部材３は、重合部と被重合部とを備え、この重合部は、少なくとも、扉を上記所定の開放状態にしたとき、上記連結部の屈伸にて、この被重合部と重なるものである。上記のロック機構４は、当該重合部に設けられた第１挿通部と、被重合部に設けられた第２挿通部と、挿入子と備える。上記の挿入子は、重合部と被重合部とが上記の通り重なりあった際、第１挿通部と第２挿通部の双方に挿入されることにより、重合部と被重合部とを重なり合った状態に固定し、上記開放状態を維持する。
尚、上記の収納容器とは、家屋やビルに代表される建造物を含む他、コンテナ、配電ボックス、物置、檻、その他の容器を含む。
【００１０】
本願第２の考案では、上記本願第１の考案にあって、上記の連結部材３が、第１基材１に連結された第１リンク部材と、第２基材２に連結されると共に当該第１リンク部材に軸止された第２リンク部材と、係止機構とを備える。上記の第１基材１と第１リンク部材との連結部と、上記の第２基材２と第１リンク部材との連結部の、少なくとも何れか一方は、基材とリンク部材とを回動可能に連結するものである。上記連結部材３の屈伸は、上記第１リンク部材に対する第２リンク部材の相対的な回動にて、第１リンク部材に対して第２リンク部材を開閉することにより行われる。更に、上記第１リンク部材が、上記の重合部を備え、上記の第２リンク部材が上記の被重合部を備える。上記係止機構は、上記の重合部と被重合部の何れか一方に設けられた雌部と、上記重合部と被重合部の何れか他方に設けられ且つ当該雌部に嵌合可能な雄部とを備える。上記第１リンク部材に対する第２リンク部材の上記回動にて重合部と被重合部とを重ね合わせることにより、上記雌部に雄部を強制的に嵌合し、扉を上記所定の開放状態にて係止することが可能である。上記の第２挿通部は、当該係止状態のとき、上記の第１挿通部と対応する位置に配位し、両挿通部に上記挿入子を挿入可能とするものであり、係止機構による係止状態を固定する。
【００１１】
本願第３の考案では、本願の上記第２の考案にあって、上記の重合部と被重合部とは、上下に重なるものである。また、上記第１及び第２の挿通部は、夫々重合又は被重合部を上下方向に貫通する貫通孔である。上記挿入子は、重合部及び被重合部とは別体に形成されたものであり、上記両挿通部に挿入することが可能な軸部と、当該軸部の上端に設けられた引掛部とを備える。当該引掛部は、上記軸部の軸方向と交差する方向に突出する、両挿通部に挿入不能な突出部分である。両挿通部が対応する位置にあるとき、重合部及び被重合部の上方より、上記軸部を両挿通部内に挿入した際、引掛部が、重合部又は被重合部の表面に引掛り、挿入子を両挿通部内から下方に通り抜けて落下するのを防止する。
【００１２】
本願第４の考案では、上記本願第３の考案にあって、上記の挿入子が、金属にて形成され、チェーン等の紐状体を介して、当該ステーに取り付けられたものである。
尚、ここでいう紐状体とは、チェーンの他、ワイヤー、皮、樹脂また布などで線状に形成された自立性のない長尺状体である。
【００１３】
本願第５の考案では、上記本願第４の考案にあって、第１リンク部材の上記重合部は、上下方向について間隔を開けて並べられた上板状部材と下板状部材の少なくとも２枚の板状部材にて構成される。上記の第２リンク部材は、上板状部材と下板状部材とに軸止されると共に、上下方向について上記の上板状部材と下板状部材との間に位置し、第２リンク部材は、上記軸止部分を挟んで第２基材と反対側に、上記被重合部を備える。上記の雌部は、上記上下の板状部材の向かい合う面の対応する位置夫々に設けられた凹み部分であり、上記の雄部は、被重合部の上下に突出する半球状の突起である。上記の扉を開けることにより、上記の第１リンク部材に対して、第２リンク部材を上記所定の開放状態に向けて相対的に回動し、上記両突起にて強制的に第１リンク部材を構成する上板状部材と下板状部材との間を押し広げて、この上下両板状部材の間に当該突起を割り込ませることが可能である。両突起が上記凹み部分の夫々に入ることで、押し広げられた上下の両板状部材の間が元の状態に向けて狭まることにより、上記の係止状態となる。
【考案の効果】
【００１４】
本願の第１〜第５の考案にあっては、ステーのロック機構を、重合部に設けられた第１挿通部と、被重合部に設けられた第２挿通部と、挿入子という、簡単な構成することにより、簡便且つローコストに製造可能とした。その一方で、第１挿通部と第２挿通部の双方に挿入子を通すという簡単な作業によって、ステーの所定の開閉状態（連結部材の屈伸状態）をロック（固定）することができ、煩わしいロック操作を必要としない。
【００１５】
また、本願題２〜第５の考案にあっては、ロック機構とは別にステーを所定の開閉状態にて係止する係止機構を備え、挿入子の脱落などのロック機構の誤動作が生じても、直ちに、所定の開閉状態が解除されるものではないので、安全である。また、このような係止機構をロック機構と別に設けることによって、ロック機構にロックに抗する力が加わった際、これを係止機構に分散することができ、ロック機構の負担を軽減した。また、係止機構によって、ロック機構の挿通部の位置合わせが簡単に行え、円滑にロック作業を行うことが可能となった。
【００１６】
更に、本願第３〜第５の考案にあっては、挿入子（の軸部）を重なり合う第１及び第２の挿通部に上方より落とし込むという簡単な作業にて、ステーをロックすることができる。ロック時、作業者は、背伸びを必要とするかも知れないが、上記の通り挿入子を挿通部に落とし込めば、後は、引掛部が重合部又は被重合部に引っ掛かって、不必要に挿通部に入り込んだり、挿通部から下方に脱落したりすることがない。このような簡単な作業で挿入子を挿入できるので、背伸びした状態でも苦心せずにロック作業を完了することができる。また、一旦、挿入子を挿通部に挿通すれば、重力と逆方向（上方）に力が加わらない限り、挿入子を外すことができないので、構造の簡便さに反して、ステーを確実にロックすることができる。
【００１７】
また更に、本願第４又は第５の考案にあっては、別体に形成された挿入子を紐状体にて、ステーに取り付けるものであるため、紛失する危惧がない。
更にまた、本願第５の考案により、上記係止機構を実現するより具体的な手段を提供し得た。
【考案を実施するための最良の形態】
【００１８】
以下、図面に基づき本願考案の実施の形態について説明する。
図１〜図６を用いて、本願考案の一実施の形態を説明する。図１は、本願考案に係るステーの使用状態を示すものであって扉を閉じた状態を示す斜視図である。図２は、図１の扉を開いた状態を示す斜視図である。図３は、図１に示す状態の上記ステーの（扉及び建造物から取り外した状態の）平面図である。図４は、図２に示す状態の上記ステーの（扉及び建造物から取り外した状態の）平面図である。図５は図４の正面図である。図６は、図３の状態のステーの要部拡大一部切欠斜視図である。
各図において、Ｕは上方を、Ｓは下方を、夫々示している。
【００１９】
このステーは、建造物の開口部Ｋへ回動自在に取り付けられた扉Ｔについて、当該扉Ｔを所定の開放状態に固定することができる。
即ち、このステーは、図１へ示す通り、第１基材１と、第２基材２と、連結部材３と、ロック機構４と、係止機構５とを備える。
以下、各部の構成について、更に詳しく説明する。
【００２０】
上記の第１基材１は、固定金具であり、図１へ示す通り、上記の開口部Ｋと扉Ｔの何れか一方に、ネジ又はボルトにより取り付けられる。この実施の形態において、第１基材１は、扉Ｔに取り付けられるものとして説明する。
第２基材２も、固定金具であり、図１へ示す通り、上記の開口部Ｋと扉Ｔの何れか一方に、ネジ又はボルトにより取り付けられる。この実施の形態において、第２基材２は、開口部Ｋに（具体的には、開口部Ｋを構成する扉取付用枠体の上部下面に）取り付けられるものとして説明する。
尚、第１基材１と第２基材２とは、開口部Ｋと扉Ｔについて、上記と逆に取り付けることも可能である。
【００２１】
上記の連結部材３は、当該第１基材１と第２基材２とを連結し且つ扉の回動に伴って屈伸可能な部材である。詳しく説明すると、図３へ示す通り、この連結部材３は、第１リンク部材３１と、第２リンク部材３２とを備える。
第１リンク部材３１の一端は、第１基材１に対して回動自在に連結されている。第２リンク部材３２の一端は、第２基材２に対して回動自在に連結されている。更に第２リンク部材３２の、第２基材２と反対側の端部は、第１リンク部材３１に軸止されている。第１基材１に対する第１リンク部材３１の回動軸の軸方向、第２基材２に対する第２リンク部材３２の回動軸の軸方向、第１リンク部材３１と第２リンク部材３２の軸止部分３０の軸方向は、扉Ｔの（ヒンジの）回転の軸方向と平行（上下方向）である。
この第１リンク部材３１と第２リンク部材３２の軸止部分３０を中心として、第１リンク部材３１に対して、第２リンク部材３２を相対的に回動することにより、扉Ｔの開放に伴い、第１リンク部材３１に対して第２リンク部材３２を開いて両リンク部材３１，３２をほぼ一直線とし、また、扉Ｔの閉鎖に伴い、第１リンク部材３１に対して第２リンク部材３２を閉じる方向に屈曲することができる。この、第１リンク部材３１に対する第２リンク部材３２に対する回動にて、上記連結部材３の屈伸が実現される。
上記の第１リンク部材３１に対する第２リンク部材３２に対する回動に伴い、第１基材１に対して第１リンク部材３１が回動し、第２基材２に対して第２リンク部材３２が回動する。図２及び図４へ示す通り、上記の第１リンク部材３１に対して第２リンク部材３２を開いて両リンク部材３１，３２をほぼ一直線としたとき、扉Ｔが所定の角度に開く。例えば、開口部が設けられた壁に対して直角に開く。
【００２２】
上記の第１リンク部材３１は、重合部３３を備える。また、上記の第２リンク部材３２は、被重合部３４を備える。上記の通り、第１リンク部材３１に対して第２リンク部材３２を開いて両リンク部材３１，３２をほぼ一直線としたとき、重合部３３は、被重合部３４と重なる。
具体的には、図５へ示す通り、第１リンク部材３１は、上下方向について間隔を開けて並べられた上板状部材３５と下板状部材３６の２枚の板状部材にて構成される。また、この上板状部材３５と下板状部材３６とは、上記の重合部３３を構成する。
上記の第２リンク部材３２は、上板状部材３５と下板状部材３６とに軸止されると共に、上下方向について上記の上板状部材３５と下板状部材３６との間に位置する。扉Ｔを上記の所定の開放状態に開いて第１及び第２リンク部材３１，３２を一直線としたとき、第２リンク部材３２の、上記軸止部分３０を挟んで第２基材２と反対側の部分が、上板状部材３５と下板状部材３６との間に収容される。この上板状部材３５と下板状部材３６との間に収容される部分、即ち、第２リンク部材３２の、上記軸止部分３０を挟んで第２基材２と反対側の部分が、上述の被重合部３４である。
【００２３】
前記の係止機構５は、図５及び図６へ示す通り、上記の重合部３３に設けられた雌部５１と、上記被重合部３４に設けられ且つ当該雌部５１に嵌合可能な雄部５２とを備える。
上記の雌部５１は、重合部３３を構成する上記上下の板状部材３５，３６の向かい合う面の対応する位置夫々に設けられた凹み部分である。上記の雄部５２は、被重合部の上下に突出する半球状の突起である。
上記の扉Ｔを開けることにより、上記の第１リンク部材３１に対して、第２リンク部３２を上記所定の状態に向けて相対的に回動し、上記両突起（雄部５２，５２）にて強制的に第１リンク部材３１を構成する上板状部材３５と下板状部材３６との間を押し広げて、当該突起及び第２リンク部材３２の被重合部３４を上下両板状部材３５，３６の間に割り込ませることが可能である。両突起（雄部５２，５２）が上記凹み部分（雌部５１，５１）の夫々に強制的に入ることで、押し広げられた上下の両板状部材３５，３６の間が元の状態に向けて狭まることにより、第１リンク部材３１に対して第２リンク部材３２は、上記の一直線の状態にて、係止される。
【００２４】
一方、上記のロック機構４は、上板状部材３５と下板状部材３６とに設けられた第１挿通部４１，４１と、被重合部３４に設けられた第２挿通部４２と、ステーと別体に形成され且つ紐状体４４にてステーに固定された挿入子４３と備える。
第１挿通部４１の一方は上板状部材３５を上下に貫通する貫通孔であり、第１挿通部４１の他方は下板状部材３６を上下に貫通する貫通孔である。第２挿通部４２は、第２リンク部材３２を上下に貫通する貫通孔である。
上板状部材３５の上記第１挿通部４１は、下板状部材３６の第１挿通部４１の真上に位置する。そして、上記の係止機構５により、第１リンク部材３１に対して第２リンク部材３２が一直線の状態に係止されたとき、上板状部材３５の上記第１挿通部４１の真下（下板状部材３５の第１挿通部４１の真上）に、第２挿通部４２が配位する。
【００２５】
上記の挿入子４３は、金属にて形成されている。挿入子４３は、上記挿通部４１，４１，４２に挿入することが可能な軸部４５と、当該軸部４５の上端に設けられた引掛部４６とを備える。当該引掛部４６は、上記軸部４５の軸方向（上下方向）と交差する方向に突出する、上記挿通部４１，４１，４２に挿入不能な突出部分である。
また、上記の紐状体４４には、チェーンを採用することができる。この実施の形態において、紐状体４４の一端は、挿入子４３に、紐状体４４の他端は、第１リンク部材３１に取り付けられている。
【００２６】
図２、図４及び図５へ示す通り、挿入子４３については、上記の係止機構５により、第１リンク部材３１に対して第２リンク部材３２が一直線の状態に係止されたとき、その軸部４５が上方より、上記の挿通部４１，４１，４２に挿入することができる。当該挿入により、第１リンク部材３１に対して第２リンク部材３２が一直線の状態にロックされる。上記の引掛部４６は、上板状部材３５の上面に当接して、軸部４５が挿通部４１，４１，４２を通り抜けるのを規制する。
尚、図６へ示す通り、第１リンク部材３１に、第２リンク部材３２の被重合部３４と当接して、回動して重合部３１と被重合部３２とが重なった際、被重合部３２が更に回動して、重合部３１を通り過ぎないように規制する、当たり６を設けて実施するのが好ましい。
【００２７】
上記の雌部５２，５２は、上記の凹み部分に代え、両板状部材３５，３６を上下に貫通する貫通孔としても実施可能である。
また、上記の実施の形態と逆に、重合部３３に雄部５２を、被重合部３４に雌部５１を設けて実施することも可能である。
紐状体は、チェーンの他、ワイヤー、皮、軟質樹脂また布でできた紐であっても実施可能である。
尚、上記において、扉Ｔは建造物Ｋに取り付けられたものとしたが、コンテナ、配電ボックス、物置、檻、その他の容器に取り付けられたものであっても実施可能である。
【図面の簡単な説明】
【００２８】
【図１】本願考案に係るステーの使用状態を示すものであって扉を閉じた状態を示す斜視図である。
【図２】図１の扉を開いた状態を示す斜視図である。
【図３】図１に示す状態の上記ステーの（扉及び建造物から取り外した状態の）平面図である。
【図４】図２に示す状態の上記ステーの（扉及び建造物から取り外した状態の）平面図である。
【図５】図４の正面図である。
【図６】図３の状態のステーの要部拡大一部切欠斜視図である。
【符号の説明】
【００２９】
１    第１基材
２    第２基材
３    連結部材
４    ロック機構
５    係止機構
【図１】
0003117514.tif 000003
【図２】
0003117514.tif 000004
【図３】
0003117514.tif 000005
【図４】
0003117514.tif 000006
【図５】
0003117514.tif 000007
【図６】
0003117514.tif 000008
【手続補正書】
【提出日】平成17年11月4日(2005.11.4)
【手続補正１】
【補正対象書類名】実用新案登録請求の範囲
【補正対象項目名】請求項２
【補正方法】変更
【補正の内容】
【請求項２】
上記の連結部材は、第１基材に連結された第１リンク部材と、第２基材に連結されると共に当該第１リンク部材に軸止された第２リンク部材と、係止機構とを備え、
上記の第１基材と第１リンク部材との連結部と、上記の第２基材と第２リンク部材との連結部の、少なくとも何れか一方は、基材とリンク部材とを回動可能に連結するものであり、
上記連結部材の屈伸は、上記第１リンク部材に対する第２リンク部材の相対的な回動にて、第１リンク部材に対して第２リンク部材を開閉することにより行われるものであり、
更に、上記第１リンク部材が、上記の重合部を備え、上記の第２リンク部材が上記の被重合部を備え、
上記係止機構は、上記の重合部と被重合部の何れか一方に設けられた雌部と、上記重合部と被重合部の何れか他方に設けられ且つ当該雌部に嵌合可能な雄部とを備え、
上記第１リンク部材に対する第２リンク部材の上記回動にて重合部と被重合部とを重ね合わせることにより、上記雌部に雄部を強制的に嵌合し、扉を上記所定の開放状態にて係止することが可能であり、
上記の第２挿通部は、当該係止状態のとき、上記の第１挿通部と対応する位置に配位し、両挿通部に上記挿入子を挿入可能とするものであり、係止機構による係止状態を固定するものであることを特徴とする請求項１記載のステー。
【手続補正２】
【補正対象書類名】明細書
【補正対象項目名】００１０
【補正方法】変更
【補正の内容】
【００１０】
本願第２の考案では、上記本願第１の考案にあって、上記の連結部材３が、第１基材１に連結された第１リンク部材と、第２基材２に連結されると共に当該第１リンク部材に軸止された第２リンク部材と、係止機構とを備える。上記の第１基材１と第１リンク部材との連結部と、上記の第２基材２と第２リンク部材との連結部の、少なくとも何れか一方は、基材とリンク部材とを回動可能に連結するものである。上記連結部材３の屈伸は、上記第１リンク部材に対する第２リンク部材の相対的な回動にて、第１リンク部材に対して第２リンク部材を開閉することにより行われる。更に、上記第１リンク部材が、上記の重合部を備え、上記の第２リンク部材が上記の被重合部を備える。上記係止機構は、上記の重合部と被重合部の何れか一方に設けられた雌部と、上記重合部と被重合部の何れか他方に設けられ且つ当該雌部に嵌合可能な雄部とを備える。上記第１リンク部材に対する第２リンク部材の上記回動にて重合部と被重合部とを重ね合わせることにより、上記雌部に雄部を強制的に嵌合し、扉を上記所定の開放状態にて係止することが可能である。上記の第２挿通部は、当該係止状態のとき、上記の第１挿通部と対応する位置に配位し、両挿通部に上記挿入子を挿入可能とするものであり、係止機構による係止状態を固定する。